(57)【要約】【課題】  生産効率に優れた磁気ヘッド用シールドケース及びそれを備えた磁気ヘッド並びに磁気テープ記録再生装置を提供する。【解決手段】  角形の胴部４と胴部４の一端開口を閉じる前面壁５とを具備し前面壁５に磁気ヘッド構成体を望ませるための窓部が形成されてなり、前面壁５の外面５Ａ側において凹部７が設けられるとともに凹部７に前面板６が嵌め込まれ、前面壁５の内面５Ｂ側において凹部７に対応する凸部８の周囲に少なくとも１以上の穴９が設けられていることを特徴とするシールドケース３及びこのシールドケース３を備えた磁気ヘッドを採用する。【選択図】        図４
2005071476.tif 000002
【特許請求の範囲】
【請求項１】
角形の胴部と該胴部の一端開口を閉じる前面壁とを具備し前記前面壁に磁気ヘッド構成体を望ませるための窓部が形成されてなり、前記前面壁の外面側において凹部が設けられるとともに該凹部に前面板が嵌め込まれ、前記前面壁の内面側において前記凹部に対応する凸部の周囲に少なくとも１以上の穴が設けられていることを特徴とする磁気ヘッド用シールドケース。
【請求項２】
前記凹部は、前記前面壁の外面に接して該凹部の輪郭を形成する側面部と該側面部に囲まれた底面部とにより区画されてなり、前記穴によって前記側面部が前記前面板側に寄せられていることを特徴とする請求項１に記載の磁気ヘッド用シールドケース。
【請求項３】
前記前面壁の内面側において前記凹部の幅方向一方側に前記穴が形成されていることを特徴とする請求項１または請求項２に記載の磁気ヘッド用シールドケース。
【請求項４】
前記前面壁の内面側において前記凹部の幅方向両側に前記穴が形成されていることを特徴とする請求項１または請求項２に記載の記載の磁気ヘッド用シールドケース。
【請求項５】
前記穴が断面視Ｖ字溝であることを特徴とする請求項１ないし請求項４のいずれかに記載の磁気ヘッド用シールドケース。
【請求項６】
前記側面部と前記前面板の端面との間に透孔が形成されていることを特徴とする請求項１ないし請求項５のいずれかに記載の磁気ヘッド用シールドケース。
【請求項７】
請求項１ないし請求項６のいずれかに記載の磁気ヘッド用シールドケースと、媒体摺動面に形成された磁気ギャップを有する磁気ヘッド構成体とを備え、前記磁気ヘッド構成体が前記胴部に収納されるとともに前記磁気ギャップが前記窓部に望ませてなること特徴とする磁気ヘッド。
【請求項８】
前記胴部に前記磁気ヘッド構成体を固定する固定用樹脂が充填されるとともに該固定用樹脂が前記透孔を通って前記前面壁の外面側に露出されていることを特徴とする請求項７に記載の磁気ヘッド。
【請求項９】
請求項７または請求項８に記載の磁気ヘッドと、映像用ヘッドを備えた回転ドラムとを有し、テープリールから引出された磁気テープが、該回転ドラムに巻き掛けられるとともに前記磁気ヘッドに摺接させて構成されるテープローディング系路を具備してなることを特徴とする磁気テープ記録再生装置。
【請求項１０】
角形の胴部と該胴部の一端開口を閉じる前面壁とを具備し前記前面壁に窓部が形成されてなる磁気ヘッド用シールドケースと、媒体摺動面に形成された磁気ギャップを有する磁気ヘッド構成体とを備えた磁気ヘッドの製造方法であり、
前記磁気ヘッド用シールドケースを組み立てるに際し、前記前面壁の外面側に設けられた凹部に前面板を嵌め込み、前記前面壁の内面側において前記凹部に対応する凸部の周囲に肉寄せ用ポンチを打ち込んで少なくとも１以上の穴を設けることにより、前記前面板を固定することを特徴とする磁気ヘッドの製造方法。
【請求項１１】
前記凹部は、前記前面壁の外面に接して該凹部の輪郭を形成する側面部と該側面部に囲まれた底面部とにより区画されてなり、前記穴を形成することによって前記側面部を前記前面板側に寄せるようにしたことを特徴とする請求項１０に記載の磁気ヘッドの製造方法。
【請求項１２】
前記肉寄せ用ポンチは、急斜刃面と緩斜刃面とが先端で連結されてくさび状に形成された先端刃部を有し、前記凸部の周囲に前記肉寄せ用ポンチを打ち込む際に、前記緩斜刃面を前記凸部側に向けて打ち込むことを特徴とする請求項１０に記載の磁気ヘッドの製造方法。
【請求項１３】
前記側面部と前記前面板の端面との間に透孔を形成し、前記胴部に前記磁気ヘッド構成体を収納して固定用樹脂を充填するとともに該固定用樹脂を前記透孔に通して前記前面壁の外面側に露出させることを特徴とする請求項１１に記載の磁気ヘッドの製造方法。
【発明の詳細な説明】
【技術分野】
【０００１】
本発明は、磁気ヘッド用シールドケース及び磁気ヘッド及び磁気テープ記録再生装置並びに磁気ヘッドの製造方法に関するものである。
【背景技術】
【０００２】
いわゆるヘリカルスキャン方式によって磁気テープに磁気情報を記録、再生する際には、映像用ヘッドが備えられた回転ドラムに磁気テープを巻き付けると同時に、別個に設けた音声用ヘッドに磁気テープを摺接させた状態で、映像信号と音声信号を同時に記録、再生している。ここで使用される音声ヘッドは、シールドケースに磁気ヘッド構成体を収納したものが一般的である。また、シールドケースの媒体摺動面には、非磁性体からなる前面板が配設されており、この前面板によってシールドケースが磁化されるのを防止している。特許文献１には、シールドケースに挿入用透孔を設け、この挿入用透孔に前面板を圧入して強嵌合させた磁気ヘッドが開示されている。
【特許文献１】実開昭６２−１６１３０７号公報
【発明の開示】
【発明が解決しようとする課題】
【０００３】
しかし、特許文献１に記載の磁気ヘッドでは、挿入用透孔と前面板との寸法精度を厳密に合わせる必要があるが、前面板が大きすぎて挿入用透孔に収まらなかったり、逆に前面板が小さすぎて挿入用透孔に嵌合されず外れてしまう可能性があった。そこで、前面板を挿入用透孔よりも若干小さめに成形し、前面板を挿入用透孔に嵌め込むと同時に前面板と挿入用透孔との間に樹脂を注入して前面板を固定していた。
【０００４】
しかし、樹脂で前面板を固定する際には樹脂の乾燥工程が必要となり、磁気ヘッドの製造工程が複雑となり、また磁気ヘッドの製造時間も長時間を要していた。更に後工程において、シールドケース内に磁気ヘッド構成体を固定するための樹脂注入、乾燥工程が存在しており、前面板の固定工程と重複する工程が存在していた。
【０００５】
本発明は、上記事情に鑑みてなされたものであって、生産効率に優れた磁気ヘッド用シールドケース及びそれを備えた磁気ヘッド並びに磁気テープ記録再生装置を提供することを目的とする。また、製造工程が単純で、重複する工程のない磁気ヘッドの製造方法を提供することを目的とする。
【課題を解決するための手段】
【０００６】
上記の目的を達成するために、本発明は以下の構成を採用した。
本発明の磁気ヘッド用シールドケースは、角形の胴部と該胴部の一端開口を閉じる前面壁とを具備し前記前面壁に磁気ヘッド構成体を望ませるための窓部が形成されてなり、前記前面壁の外面側において凹部が設けられるとともに該凹部に前面板が嵌め込まれ、前記前面壁の内面側において前記凹部に対応する凸部の周囲に少なくとも１以上の穴が設けられていることを特徴とする。
【０００７】
上記構成によれば、前面壁の内面側において凸部の周囲に穴が設けられ、この穴を設けることによって凹部をかしめて前面板を確実に固定できる。また、穴を前面壁の内面に設けることで、磁気テープが接する前面壁の外面がなめらかな面となり、磁気テープの摺動に何ら悪影響を及ぼすことがない。
【０００８】
また本発明の磁気ヘッド用シールドケースは、先に記載の磁気ヘッド用シールドケースであり、前記凹部は、前記前面壁の外面に接して該凹部の輪郭を形成する側面部と該側面部に囲まれた底面部とにより区画されてなり、前記穴によって前記側面部が前記前面板側に寄せられていることを特徴とする。この構成によれば、穴によって前記側面部が前記前面板側に寄せられることで、前面板を強固に固定することができる。
【０００９】
更に本発明の磁気ヘッド用シールドケースは、先に記載の磁気ヘッド用シールドケースであり、前記前面壁の内面側において前記凹部の幅方向一方側に前記穴が形成されていることを特徴とする。この構成によれば、前記凹部の幅方向一方側から側面部を肉寄せして前面板を凹部の幅方向他方側に突き当てることができ、前面板を確実に固定できる。
【００１０】
更にまた本発明の磁気ヘッド用シールドケースは、先に記載の磁気ヘッド用シールドケースであり、前記前面壁の内面側において前記凹部の幅方向両側に前記穴が形成されていることを特徴とする。この構成によれば、前記凹部の幅方向両側から側面部を肉寄せして前面板を挟んで固定することができ、前面板を確実に固定できる。
【００１１】
また本発明の磁気ヘッド用シールドケースは、先に記載の磁気ヘッド用シールドケースであり、前記穴が断面視Ｖ字溝であることを特徴とする。この構成によれば、前面壁を効率よく肉寄せることができる。
【００１２】
更に本発明の磁気ヘッド用シールドケースは、先に記載の磁気ヘッド用シールドケースであり、前記側面部と前記前面板の端面との間に透孔が形成されていることを特徴とする。この構成により、磁気ヘッドの組み立て工程においてシールドケースの内面側から固定用樹脂を注入させた際に、透孔によって固定用樹脂を前面壁の外面側に露出させることができ、固定用樹脂で前面板を完全に固定できる。
【００１３】
次に本発明の磁気ヘッドは、先のいずれかに記載の磁気ヘッド用シールドケースと、媒体摺動面に形成された磁気ギャップを有する磁気ヘッド構成体とを備え、前記磁気ヘッド構成体が前記胴部に収納されるとともに前記磁気ギャップが前記窓部に望ませてなること特徴とする。この構成により、前面板が確実に固定された磁気ヘッドを得ることができる。
【００１４】
また本発明の磁気ヘッドは、先に記載の磁気ヘッドであり、前記胴部に前記磁気ヘッド構成体を固定する固定用樹脂が充填されるとともに該固定用樹脂が前記透孔を通って前記前面壁の外面側に露出されていることを特徴とする。この構成により、磁気ヘッドの組み立て工程においてシールドケースの内面側から固定用樹脂を注入させた際に、透孔によって固定用樹脂を前面壁の外面側に露出させることができ、固定用樹脂で前面板を完全に固定できる。
【００１５】
また本発明の磁気テープ記録再生装置は、先に記載の磁気ヘッドと、映像用ヘッドを備えた回転ドラムとを有し、テープリールから引出された磁気テープが、該回転ドラムに巻き掛けられるとともに前記磁気ヘッドに摺接させて構成されるテープローディング系路を具備してなることを特徴とする。この磁気テープ記録再生装置は、前面板が確実に固定された磁気ヘッドを備えており、磁気ヘッドの帯磁が防止されて記録再生を良好に行うことができる。
【００１６】
次に本発明の磁気ヘッドの製造方法は、角形の胴部と該胴部の一端開口を閉じる前面壁とを具備し前記前面壁に窓部が形成されてなる磁気ヘッド用シールドケースと、媒体摺動面に形成された磁気ギャップを有する磁気ヘッド構成体とを備えた磁気ヘッドの製造方法であり、前記磁気ヘッド用シールドケースを組み立てるに際し、前記前面壁の外面側に設けられた凹部に前面板を嵌め込み、前記前面壁の内面側において前記凹部に対応する凸部の周囲に肉寄せ用ポンチを打ち込んで少なくとも１以上の穴を設けることにより、前記前面板を固定することを特徴とする。
【００１７】
上記の構成によれば、前面壁の内面側から肉寄せ用ポンチを打ち込んで穴を設けるので、前面板を確実に固定できる。また、穴を前面壁の内面に設けるので、磁気テープが接する前面壁の外面がなめらかな面となり、磁気テープの摺動に何ら悪影響を及ぼすことがない。
【００１８】
また本発明の磁気ヘッドの製造方法は、先に記載の磁気ヘッドの製造方法であり、前記凹部は、前記前面壁の外面に接して該凹部の輪郭を形成する側面部と該側面部に囲まれた底面部とにより区画されてなり、前記穴を形成することによって前記側面部を前記前面板側に寄せるようにしたことを特徴とする。この構成によれば、穴を設けることで側面部を前記前面板側に寄せ、前面板を強固に固定することができる。
【００１９】
また本発明の磁気ヘッドの製造方法は、先に記載の磁気ヘッドの製造方法であり、前記肉寄せ用ポンチは、急斜刃面と緩斜刃面とが先端で連結されてくさび状に形成された先端刃部を有し、前記凸部の周囲に前記肉寄せ用ポンチを打ち込む際に、前記緩斜刃面を前記凸部側に向けて打ち込むことを特徴とする。
【００２０】
上記の構成のように、肉寄せ用ポンチ緩斜刃面を前記凸部側に向けて打ち込むことにより、緩斜刃面によって前面壁の肉が凸部側により多く寄せられ、前面板を確実に固定することができる。
【００２１】
また本発明の磁気ヘッドの製造方法は、先に記載の磁気ヘッドの製造方法であり、前記側面部と前記前面板の端面との間に透孔を形成し、前記胴部に前記磁気ヘッド構成体を収納して固定用樹脂を充填するとともに該固定用樹脂を前記透孔に通して前記前面壁の外面側に露出させることを特徴とする。この構成により、透孔を介して固定用樹脂を前面壁の外面側に露出させるので、磁気ヘッド構成体と前面板とを同時に固定することができる。
【発明の効果】
【００２２】
以上説明したように、本発明の磁気ヘッド用シールドケース及び磁気ヘッド並びに磁気テープ記録再生装置によれば、前面壁に前面板が確実に固定されるため、不良率が低く、生産効率に優れたシールドケース及びそれを備えた磁気ヘッド並びに磁気テープ記録再生装置を提供することができる。
また、本発明の磁気ヘッドの製造方法によれば、肉寄せ用ポンチを打ち込むだけで前面板を固定できるので、製造工程を単純にすることができる。また、本発明の磁気ヘッドの製造方法によれば、磁気ヘッド構成体と前面板を同時に固定することができるので、重複する工程のない磁気ヘッドの製造方法を提供できる。
【発明を実施するための最良の形態】
【００２３】
以下、本発明の実施の形態を図面を参照して説明する。図１は本実施形態の磁気ヘッドの一例の構成を示す分解斜視図であり、図２は図１の磁気ヘッドに備えられたシールドケースを示す正面図であり、図３は図２に示したシールドケースの背面図であり、図４は図３のＡ-Ａ’線に対応する断面図であり、図５は図３のＢ-Ｂ’線に対応する断面図である。
また、図６は本実施形態のシールドケースの他の例を示す断面図であり、図７は本実施形態のシールドケースのその他の例を示す正面模式図である。
尚、これら図１〜図７は、磁気ヘッド及びシールドケースの構成を説明するためのものであり、図示される各部の大きさや厚さや寸法等は、実際の磁気ヘッド及びシールドケースの寸法関係と必ずしも一致するものではない。
【００２４】
図１に示すように、本発明の磁気ヘッド１は、２つの磁気ヘッド構成体２，２と、シールドケース（磁気ヘッド用シールドケース）３とを主体として構成されている。磁気ヘッド構成体２は、一対の半コア２ａ、２ａが突き合わされてなる磁気コア２ｂと、磁気コア２ｂに取り付けられたボビン２ｃとを主体として構成されている。磁気コア２ｂには媒体摺動面２ｄが形成されており、この媒体摺動面２ｄには半コア２ａ、２ａが突き合わされて形成された磁気ギャップＧが露出している。また、磁気コア２ｂには半コア２ａ、２ａ同士を固定する固定部材２ｅが架設されている。ボビン２ｃは、ボビン本体２ｆと、このボビン本体２ｆに巻回された巻線２ｇとを主体として構成されている。ボビン本体２ｆには図示略の挿入孔が設けられており、この挿入孔に磁気コア２ｂが挿入されている。また、ボビン本体２ｆには外部端子２ｈが取り付けられており、これら外部端子２ｈは巻線２ｇの両端に接続されている。
【００２５】
図１〜図５に示すように、シールドケース３は、磁性体からなる角形の胴部４と、胴部４の一端開口を閉じる前面壁５と、前面壁５に取り付けられた非磁性体からなる前面板６とから構成されている。前面壁５には２つの窓部５ａ、５ｂが設けられている。前述の磁気ヘッド構成体２，２は、シールドケース３の胴部４に収納されるとともに磁気ギャップＧ、Ｇが窓部５ａ、５ｂに望ませた状態でシールドケース３と一体化されている。更に胴部４の内部には後述する図示略の固定用樹脂が充填されており、この固定用樹脂によってシールドケース３と磁気ヘッド構成体２，２とが強固に固定されている。
【００２６】
またシールドケース３の前面壁５の外面５Ａ側において、窓部５ａ、５ｂの間に略矩形の縦長の凹部７が設けられている。前面壁５の外面５Ａ側に凹部７が設けられることによって、内面５Ｂ側にはこの凹部７に対応する凸部８が形成されている。凹部７は、前面壁５の外面５Ａに接して凹部７の輪郭を形成する側面部７ａと、この側面部７ａに囲まれた底面部７ｂとにより区画されて構成されている。また凹部７には２つの開口部７ｃ、７ｃが形成されている。この開口部７ｃ、７ｃは、凹部７の底面部７ｂから凹部７の幅方向両側の側面部７ａ、７ａにいたるまでの領域に形成されている。また前面壁５には、開口部７ｃ、７ｃに連通する切欠部５ｃ…が形成されている。
【００２７】
凹部７には前面板６が嵌め込まれている。この前面板６は非磁性ステンレスなどの非磁性体により構成されている。磁気ヘッド１は、磁気ヘッド構成体２，２がシールドケース３に収納されたときに、前面板６の一面６ａと窓部５ａ、５ｂから望む磁気ヘッド構成体２，２の媒体摺動面２ｄ、２ｄとが同一面を形成している。
【００２８】
更に前面壁５の内面５Ｂ側において、凹部７に対応して形成された凸部８に周囲には、複数の肉寄せ穴（穴）９…が設けられている。この肉寄せ穴９…は、後述する肉寄せ用ポンチが打ち込まれることによって断面視略Ｖ字状に形成されている。またこの肉寄せ穴９…は、凸部８の幅方向両側に２つずつ、全部で４つ設けられている。肉寄せ穴９…を設けることによって、肉寄せ穴９…と凹部７（凸部８）の側面部７ａとの間におけるシールドケース３の肉が前面板６側に押されて寄せられる。肉寄せ穴９…が凹部７（凸部８）の幅方向両側に設けられていることから、前面板６の幅方向両側に位置する側面部７ａ、７ａが前面板６側に寄せられ、結果的に前面板６は側面部７ａ、７ａによってかしめられて固定される。
【００２９】
また、前面板６の端面６ｂと前面壁５の切欠部５ｃ…及び開口部７ｃ、７ｃによって透孔５ｄ…が形成されている。この透孔５ｄ…に前述の固定用樹脂が充填されて外面５Ａ側に露出することで前面板６がシールドケース３に強固に固定される。
【００３０】
なお、図６に示すように、凸部８の幅方向一方側のみに肉寄せ穴９を設けた場合は、この肉寄せ用穴９と凹部７（凸部８）の側面部７ａ１との間における前面壁５の肉が前面板６側に寄せられる。前面板６は、肉寄せされた側面部７ａ１に押される形となって反対側の側面部７ａ２に突き当てられる。このようにして、凸部８の幅方向一方側のみに肉寄せ穴９を設けた場合は、前面板６が、肉寄せされた側面部７ａ１と肉寄せされない反対側の側面部７ａ２とによって挟まれて固定される。
【００３１】
なお、肉寄せ穴９の形成位置は前述の図２〜４の例に限られず、図７Ａ〜図７Ｅに示すような位置に形成しても良い。即ち、図７Ａでは、前面板６の幅方向両側に２つの肉寄せ穴９、９が設けられている。この２つの肉寄せ穴９、９は前面板６の長手方向中央に配置されている。また図７Ｂでは、前面板６の幅方向両側かつ前面板６の長手方向一方側に２つの肉寄せ穴９，９が設けられ、前面板６の幅方向一方側かつ前面板６の長手方向他方側に１つの肉寄せ穴９が設けられている。また図７Ｃでは、前面板６の幅方向一方側に２つの肉寄せ穴９，９が設けられている。この２つの肉寄せ穴９，９は前面板６の長手方向両側に配置されている。また図７Ｄでは前面板６の幅方向両側に２つの肉寄せ穴９，９が設けられている。このうち、一つの肉寄せ穴９は前面板６の長手方向中央に配置され、もう一つは長手方向一方側に配置されている。更に図７Ｅでは、前面板６の幅方向両側に２つの肉寄せ穴９，９が設けられている。このうち、一つの肉寄せ穴９は前面板６の長手方向一方側に配置され、もう一つは長手方向他方側に配置されている。
【００３２】
上記のシールドケース３によれば、前面壁５の内面５Ｂ側において凸部８の周囲に肉寄せ穴９…が設けられているので、前面板６を確実に固定できる。また、肉寄せ穴９…を前面壁５の内面５Ｂに設けることで、磁気テープが接する前面壁５の外面５Ａがなめらかな面となり、磁気テープの摺動に何ら悪影響を及ぼすことがない。
また、肉寄せ穴９…によって側面部７ａ、７ａが前面板６側に寄せられているので、前面板６を強固に固定することができる。更に肉寄せ穴９…が断面視Ｖ字溝であるため、前面壁５の肉を効率よく前面板６側に寄せることができる。
また、側面部７ａ、７ａと前面板６の端面６ｂとの間に透孔５ｄ…が形成され、この透孔５ｄ…に固定用樹脂が充填されるとともに固定用樹脂が前面壁５の外面５Ａ側に露出されるので、固定用樹脂が前面板６と凹部７との隙間にくまなく充填され、前面板６を前面壁５に完全に固定できる。
【００３３】
また図８には、上記の磁気ヘッドを音声用ヘッドとして備えた磁気テープ記録再生装置のテープローディング系路を平面模式図で示す。この図８に示す磁気テープ記録再生装置１０は、ＶＴＲ等の機器に用いられるもので、モータにて回転駆動される回転ドラム１１が設けられ、この回転ドラム１１に映像用磁気ヘッド（映像用ヘッド）１２、１２が搭載されている。図８の磁気テープ記録再生装置１０においては、送出側テープリール１３から引出された磁気テープ１４が、ガイドポスト１５ａに案内されて、回転ドラム１１に所定角度巻き付けられ、さらにガイドポスト１５ｂに案内され、キャプスタン１６とピンチローラ１７とで挟持され、キャプスタン１６の回転により図示矢印方向へ走行させられ、最終的にこの磁気テープ１４は図示略の巻取側テープリール１８に巻き取られる。また、送出側テープリール１３とガイドポスト１５ａとの間には全幅消去ヘッド２１が配置され、ガイドポスト１５ｂとキャプスタン１６及びピンチローラ１７の間には本発明に係る音声用ヘッド１（磁気ヘッド）が配置されており、これらの各ヘッド２１、１に磁気テープ１４が摺接している。このようにして、映像用磁気ヘッド１２、１２を有する回転ドラム１１と音声用ヘッド１と磁気テープ１４とを具備してなるテープローディング系路が構成されている。
【００３４】
上記の磁気テープ記録再生装置によれば、前面板６が確実に固定された磁気ヘッド１を備えており、磁気ヘッド１の帯磁が防止されて記録再生を良好に行うことができる。
【００３５】
次に、本発明の磁気ヘッドの製造方法を、上述の磁気ヘッド１を例にして説明する。図９Ａ〜図９Ｃは、本実施形態の磁気ヘッドの製造方法を説明するための工程断面図であって、図３のＡ-Ａ’線に対応する断面図である。また図１０はシールドケースと肉寄せ用ポンチとの関係を示す拡大断面図であって、図３のＡ-Ａ’線に対応する断面図である。更に図１１Ａ、図１１Ｂ及び図１１Ｄは磁気ヘッドの製造方法を説明するための工程断面図であって、図３のＡ-Ａ’線に対応する断面図であり、図１１Ｃは、図１１Ｂに示す工程と同一工程における工程断面図であって、図３のＢ-Ｂ’線に対応する断面図である。
【００３６】
まず、図９Ａに示すように、シールドケース３を用意する。このシールドケース３は、角形の胴部４とこの胴部４の一端開口を閉じる前面壁５とから構成されている。前面壁５の外面５Ａ側には凹部７が成形されている。また前面壁５の内面５Ｂ側にはこの凹部７に対応する凸部８が形成されている。また前面壁５には図示略の２つの窓部が形成されている。このシールドケース７は、例えば、ＦｅＮｉ合金などの磁性板をプレス加工することにより得られる。
【００３７】
次に図９Ｂに示すように、前面壁５の凹部７に前面板６を嵌め込む。凹部７は、前面板６の幅よりも若干広幅に形成されており、前面板６は凹部７に抵抗なく嵌め込まれる。
次に図９Ｃに示すように、胴部４の他端開口側から肉寄せ用ポンチ３１を挿入し、ポンチ先端を前面壁５の内面５Ｂに打ち込んで４つの肉寄せ穴９…を同時に形成する。肉寄せ穴９…の形成位置は図２〜図４に示したとおりである。
【００３８】
また図１０にはポンチ先端及び前面壁５の拡大図を示す。図１０に示すように、肉寄せ用ポンチ３１は、急斜刃面３３と緩斜刃面３４とが先端３５で連結されてくさび状に形成された先端刃部３２を４つ備えている。そしてこの先端刃部３２を前面壁５の内面５Ｂに打ち込むことで肉寄せ穴９…を同時に形成する。先端刃部３２は、その先端３５からポンチ３１の進行方向に沿って延ばした線Ｈ（図１０中二点鎖線で示す線）と急斜刃面３３とのなす角をθ１とし、線Ｈと緩斜刃面３４とのなす角をθ２としたとき、θ１＜θ２となるように構成する。このように構成された先端刃部３２を打ち込むことにより、先端刃部３２の形状に対応した断面視略Ｖ字溝状の肉寄せ穴９が形成される。更に図９Ｃ及び図１０に示すように、凸部８の周囲に肉寄せ用ポンチ３１を打ち込む際には、緩斜刃面３４を凸部８側に向けて打ち込む。これにより、肉寄せ穴９の形成と同時に前面壁５の肉が凹部７側に寄せられ、この肉寄せによって凹部７の側面部７ａ、７ａが前面板６側に寄せられる。このようにして肉寄せ穴９を設けることで、凹部７の側面部７ａ、７ａを前面板６側に寄せて前面板６を強固に固定することができる。
なお、肉寄せ用ポンチ３１の打ち込によって、前面壁５の外面５Ａ側には肉寄せ穴に対応する張り出し部４０…が形成される。
【００３９】
次に、図１１Ａに示すように、磁気ヘッド構成体２を胴部４に収納する。そして、図１１Ｂ及び図１１Ｃに示すように、エポキシ樹脂などの固定用樹脂５０を胴部４内に充填する。図１１Ｃに示すように固定用樹脂５０の一部は透孔５ｄ、５ｄを通って前面壁５の外面側にまで押し出される。このとき固定用樹脂５０は、凹部７と前面板６のとの隙間にくまなく入り込む。そして、シールドケース３を加熱炉に入れて固定用樹脂５０を加熱乾燥する。これにより、シールドケース３と磁気ヘッド構成体２と前面板６とが同時に接着固定される。最後に、図１１Ｄに示すように、前面壁５の外面５Ａを研磨テープなどでラッピングすることにより、前面壁５の外面５Ａ側に押し出された固定用樹脂５０や、肉寄せ穴９…によって形成された張り出し部４０…を研磨除去する。このようにして、図１に示すような磁気ヘッド１が得られる。
【００４０】
上記の磁気ヘッド１の製造方法によれば、前面壁５の内面５Ｂ側から肉寄せ用ポンチ３１を打ち込んで肉寄せ穴９…を設けるので、前面板６を確実に固定できる。また、肉寄せ穴９…を前面壁５の内面５Ｂに設けるので、磁気テープが接する前面壁５の外面５Ａがなめらかな面となり、磁気テープの摺動に何ら悪影響を及ぼすことがない。また、肉寄せ穴９…を設けることで側面部７ａ、７ａを前面板６側に寄せることができ、前面板６を強固に固定することができる。
また、肉寄せ用ポンチ３１を打ち込む際に、緩斜刃面３４を凸部８側に向けて打ち込むので、緩斜刃面３４によって前面壁５の肉が凸部８側により多く寄せられ、前面板６を確実に固定できる。
【００４１】
更に、胴部４に磁気ヘッド構成体２を収納して固定用樹脂５０を充填するとともに固定用樹脂５０を透孔５ｄ…に通して前面壁５の外面５Ａ側に露出させるようにしたので、磁気ヘッド構成体２と前面板６とを同時に固定することができる。これにより、固定用樹脂５０の乾燥工程が一工程で済むため、製造工程を簡略化できる。
【図面の簡単な説明】
【００４２】
【図１】図１は本発明の実施形態である磁気ヘッドの一例を示す分解斜視図。
【図２】図２は本発明の実施形態である磁気ヘッド用シールドケースの一例を示す正面図。
【図３】図３は図２に示した磁気ヘッド用シールドケースの背面図。
【図４】図４は図３のＡ-Ａ’線に対応する断面図。
【図５】図５は図３のＢ-Ｂ’線に対応する断面図。
【図６】図６は本発明の実施形態である磁気ヘッド用シールドケースの他の例を示す断面図。
【図７】図７は本発明の実施形態である磁気ヘッド用シールドケースのその他の例を示す正面模式図。
【図８】図８は本発明の実施形態である磁気テープ記録再生装置のテープローディング経路を示す平面模式図。
【図９】図９は本発明の実施形態である磁気ヘッドの製造方法を説明するための工程図。
【図１０】図１０は本発明の実施形態である磁気ヘッドの製造方法を説明する説明図。
【図１１】図１１は本発明の実施形態である磁気ヘッドの製造方法を説明するための工程図。
【符号の説明】
【００４３】
１…磁気ヘッド、２…磁気ヘッド構成体、２ｄ…媒体摺動面、３…シールドケース（磁気ヘッド用シールドケース）、４…胴部、５…前面壁、５Ａ…外面、５Ｂ…内面、５ａ、５ｂ…窓部、５ｄ…透孔、６…前面板、６ｂ…端面、７…凹部、７ａ…側面部、７ｂ…底面部、８…凸部、９…肉寄せ穴（穴）、１０…磁気テープ記録再生装置、１１…回転ドラム、１２…映像用ヘッド、１３…テープリール、１４…磁気テープ、３１…肉寄せ用ポンチ、３２…先端刃部、３３…急斜刃面、３４…緩斜刃面、３５…先端、５０…固定用樹脂、Ｇ…磁気ギャップ
【図１】
2005071476.tif 000003
【図２】
2005071476.tif 000004
【図３】
2005071476.tif 000005
【図４】
2005071476.tif 000006
【図５】
2005071476.tif 000007
【図６】
2005071476.tif 000008
【図７】
2005071476.tif 000009
【図８】
2005071476.tif 000010
【図９】
2005071476.tif 000011
【図１０】
2005071476.tif 000012
【図１１】
2005071476.tif 000013